(57)【要約】【課題】電動ターンテーブルにおいて、構成部品の加工誤差や、組立誤差があっても、物品を載せるテーブルを円滑に回転させる。【解決手段】基台１上にスラストベアリング４を介して回転可能にテーブル２を設け、基台１内にモータ51を含む回転駆動部５を具え、スラストベアリング４のアンダーリング41は基台１の天板12に固定され、スラストベアリング４のアッパーリング42に前記テーブル２が固定される。テーブル２の下面に突設した支持軸３が駆動部５に内蔵した筒状の出力軸53に嵌まり、回転駆動部５のケーシング54と基台１とが、リンク６を介して枢支連結して構成される。支持軸３の振れは、リンク６の振れで吸収できる。【選択図】図４
2010284347.tif 000002
【特許請求の範囲】
【請求項１】
中空の基台(１)の上にスラストベアリング(４)を介して回転可能にテーブル(２)が配備され、基台(１)内にモータ(51)を含む回転駆動部(５)が配備され、スラストベアリング(４)のアンダーリング(41)は基台(１)に固定され、スラストベアリング(４)のアッパーリング(42)に前記テーブル(２)が固定され、テーブル(２)の下面に突設した支持軸(３)と駆動部(５)に設けた出力軸(53)が嵌合し、回転駆動部(５)のケーシング(54)と基台(１)とが、リンク(６)を介して枢支連結して構成され、テーブル(２)の回転時の振れは、リンク(６)の振れで吸収できる。
【請求項２】
基台(１)上にスラストベアリング(４)を介して回転可能にテーブル(２)を配備し、基台(１)内に前記テーブルを回転駆動するモータ(51)を含む回転駆動部(５)を具え、
基台(１)は該駆動部(５)を包囲する周壁(11)と該周壁の上端に位置しテーブル(２)の回転中心に対応して開口(13)を有する天板(12)とからなり、
スラストベアリング(４)のアンダーリング(41)は基台(１)の天板(12)に固定され、スラストベアリング(４)のアッパーリング(42)に前記テーブル(２)が固定され、
テーブル(２)の下面に突設した支持軸(３)と駆動部(５)の出力軸(53)の何れか一方が中空軸で、両軸(３)(53)が同芯に嵌合しており、
回転駆動部(５)のケーシング(54)と基台(１)とが、テーブル(２)の回転平面と平行な面内で該ケーシング(54)が回動可能にリンク(６)を介して枢支連結され、
リンク(６)の回転駆動部(５)側の枢支部(64)は、回転駆動部(５)の出力軸(53)から外れた位置にある、請求項１に記載の電動ターンテーブル。
【請求項３】
回転駆動部(５)の出力軸(53)が両端開口の中空軸(50)に形成され、該中空軸(50)の下端に当てた座金(35)を貫通して支持軸(３)に螺合したネジ(34)によって、中空軸(50)からの支持軸(３)の抜止めを画っている、請求項１又は２に記載の電動ターンテーブル。
【請求項４】
スラストベアリング(４)のアンダーリング(41)及びアッパーリング(42)は、プレス成形されている、請求項１乃至３の何れかに記載の電動ターンテーブル。
【発明の詳細な説明】
【技術分野】
【０００１】
本発明は、商品を回転させて展示する等に用いる電動ターンテーブルにおいて、回転駆動部を収容した基台上に、回転テーブルを具えた電動ターンテーブルに関するものである。
【背景技術】
【０００２】
この種の電動ターンテーブルは、物品を載せる回転テーブルの投影領域外にモータを具えたものと、回転テーブルの投影領域内にモータを具えたものとがある。後者は前者に較べて、電動ターンテーブルの横方向の嵩張りを小さくできる利点がある。
前者も後者も、基台上に、スラストベアリングを介して回転テーブルを配備して構成されている。
【発明の概要】
【発明が解決しようとする課題】
【０００３】
上記従来の電動ターンテーブルは、回転駆動用のモータは定位置に固定支持されているため、例えば、回転テーブルの中心に支持軸を突設し、該支持軸をモータに連繋する場合、部品の加工誤差、組立誤差等によって、支持軸をモータに連繋することが出来ず、又、回転テーブルの回転中心に対してスラストベアリングの支持軸が偏芯していた場合、回転テーブルは円滑に回転しない。
本発明は、上記問題を解決すると共に、回転テーブルを載置する基台内に回転駆動部を配備することにより、全体の嵩張りを可及的に抑えることのできる、電動ターンテーブルを明らかにするものである。
【課題を解決するための手段】
【０００４】
請求項１の電動ターンテーブルは、中空の基台(１)の上にスラストベアリング(４)を介して回転可能にテーブル(２)が配備され、基台(１)内にモータ(51)を含む回転駆動部(５)が配備され、スラストベアリング(４)のアンダーリング(41)は基台(１)に固定され、スラストベアリング(４)のアッパーリング(42)に前記テーブル(２)が固定され、テーブル(２)の下面に突設した支持軸(３)と駆動部(５)に設けた出力軸(53)が嵌合し、回転駆動部(５)のケーシング(54)と基台(１)とが、リンク(６)を介して枢支連結して構成され、テーブル(２)の回転時の振れは、リンク(６)の振れで吸収できる。
【０００５】
請求項２は、請求項１の電動ターンテーブルにおいて、基台(１)上にスラストベアリング(４)を介して回転可能にテーブル(２)を配備し、基台(１)内に前記テーブルを回転駆動するモータ(51)を含む回転駆動部(５)を具え、
基台(１)は該駆動部(５)を包囲する周壁(11)と該周壁の上端に位置しテーブル(２)の回転中心に対応して開口(13)を有する天板(12)とからなり、
スラストベアリング(４)のアンダーリング(41)は基台(１)の天板(12)に固定され、スラストベアリング(４)のアッパーリング(42)に前記テーブル(２)が固定され、
テーブル(２)の下面に突設した支持軸(３)と駆動部(５)の出力軸(53)の何れか一方が中空軸で、両軸(３)(53)が同芯に嵌合しており、
回転駆動部(５)のケーシング(54)と基台(１)とが、テーブル(２)の回転平面と平行な面内で該ケーシング(54)が回動可能にリンク(６)を介して枢支連結され、
リンク(６)の回転駆動部(５)側の枢支部(64)は、回転駆動部(５)の出力軸(53)から外れた位置にある。
【０００６】
請求項３は、請求項１又は２の電動ターンテーブルにおいて、回転駆動部(５)の出力軸(53)が両端開口の中空軸(50)に形成され、該中空軸(50)の下端に当てた座金(35)を貫通して支持軸(３)に螺合したネジ(34)によって、中空軸(50)からの支持軸(３)の抜止めを画っている。
【０００７】
請求項４は、請求項１乃至３の電動ターンテーブルにおいて、スラストベアリング(４)のアンダーリング(41)及びアッパーリング(42)は、プレス成形されている。
【発明の効果】
【０００８】
請求項１又は２の電動ターンテーブルは、スラストベアリング(４)の回転中心に対して、テーブル(２)の支持軸(３)が振れながら回転しても、リンク(６)の振れによって該支持軸(３)の振れを吸収できるので、テーブル(２)を円滑に回転させることができる。
【０００９】
請求項２は、請求項１の電動ターンテーブルにおいて、基台(１)と回転駆動部(５)を枢支連結するリンク(６)は、基台(１)側の枢支部(69)を中心に回動可能であり、回転駆動部(５)のケーシング(54)はリンク(６)の回転駆動部(５)側の枢支部(64)を中心に回動可能であり、且つ該枢支部(64)は回転駆動部(５)の出力軸(53)から外れた位置にあるから、該出力軸(53)は、リンク(６)の回転平面と平行な面内で２次元的に振れ移動可能である。
従って、スラストベアリング(４)の回転中心に対して、テーブル(２)の支持軸(３)が偏芯していても、該支持軸(３)と回転駆動部(５)の出力軸(53)の嵌合は可能である。又、請求項１と同様の効果を奏することができる。
【００１０】
回転駆動部(５)のケーシング(54)と基台(１)をリンク(６)を介して枢支連結するだけであるから、構成が簡素化でき、低コストで前記問題を解決できる。
又、回転駆動部(５)は基台(１)内に配備されているから、横方への嵩張りを抑えて、電動ターンテーブルの小型化に寄与でき、又、デザイン面への規制も少なくなり、シンプルで美観に優れた電動ターンテーブルを構成できる。
【００１１】
請求項３は、回転駆動部(５)の出力軸(53)を両端開口の中空軸(50)としたため、該中空軸(50)にテーブル(２)に下向きに突設した支持軸(３)を挿入でき、即ち、回転駆動部(５)内に支持軸(３)を挿入できるから、その分だけ基台(１)の高さを低くでき、電動ターンターブル全体の高さ方向の嵩張りを小さくできる。
【００１２】
請求項４の電動ターンテーブルは、テーブル(２)の支持軸(３)と回転駆動部(５)の出力軸(53)の芯合わせに精度は必要ではないので、スラストベアリングを精度は高くないが安価なプレスベアリングを用いることができ、電動ターンテーブルの製作コストを低減できる。
【図面の簡単な説明】
【００１３】
【図１】電動ターンテーブルの平面図である。
【図２】図１Ａ−Ａ線に沿う断面図である。
【図３】図１Ｂ−Ｂ線に沿う断面図である。
【図４】電動ターンテーブルの分解斜視図である。
【図５】逆さにした電動ターンテーブルの斜視図である。
【発明を実施するための形態】
【００１４】
電動ターンテーブルは、基台(１)と該基台上にスラストベアリング(４)を介して回転可能に配備されたテーブル(２)と、前記基台(１)内に配備され前記テーブルを回転駆動するモータ(51)を含む回転駆動部(５)を具えている。
【００１５】
基台(１)は該駆動部(５)を包囲する円形の周壁(11)と該周壁の上端に位置しテーブル(２)の回転中心に対応して開口(13)を有する環状の天板(12)とからなり、底壁なしの中空体である。
【００１６】
テーブル(２)は基台(１)の直径と略同じ円形であり、下面中央に後記する支持軸(３)が突設されている。
【００１７】
スラストベアリング(４)は、アンダーリング(41)とアッパーリング(42)がプレス成形されて、両者の内面には、ボール列の各ボール(45)が転動する環状の凹み軌条(43)(44)を有している。
アンダーリング(41)にアッパーリング(42)が被さっており、アッパーリング(42)の外径は、前記テーブル(２)に直径に略一致している。
【００１８】
上記スラストベアリング(４)のアンダーリング(41)が、前記基台(１)に固定され、アッパーリング(42)がテーブル(２)に固定される。
アンダーリング(41)はその内縁に等間隔に突設された複数の突片、実施例では３つの突片(46)がビス止め(48)して基台(１)の天板(12)に固定されている。
アッパーリング(42)はその内縁に等間隔に突設された複数の突片、実施例では４つの突片(47)がビス止め(49)してテーブル(２)の下面に固定されている。
【００１９】
基台(１)の周壁(11)内に、テーブル(２)に対する回転駆動部(５)が配備される。
回転駆動部(５)はケーシング(54)内にモータ(51)と歯車減速部(52)を組み込んだギアモータである。実施例の歯車減速部(52)の出力軸(53)は両端開口の中空軸(50)であって、ケーシング(54)の上面から少し突設しているだけで出力軸(53)の全長の大部分は、ケーシング(54)内に位置している。
【００２０】
上記回転駆動部(５)の筒状の出力軸(53)に、前記テーブル(２)の中心に突設した支持軸(３)が嵌合する。
支持軸(３)は、上から下へ短い位置決め軸部(32)、大径のフランジ(30)、該フランジよりは小径ではあるが太軸部(31)、該太軸部(31)より細い差込み軸部(33)が同芯に連続している。
支持軸(３)は、上端の位置決め軸部(32)をテーブル(２)の中心に開設した孔(21)に嵌め、フランジ(30)をテーブル(２)にビス止め固定し、差込み軸部(33)を前記回転駆動部(５)の筒状の出力軸(53)に挿入してする。差込み軸部(33)と出力軸(53)はキー(36)を介して一体回転に係合している。
太軸部(31)の差込み軸部(33)との段部(36)は出力軸(53)の上端面に当たって、支持軸(３)の挿入深さを規制している。
筒状出力軸(53)の下端に座金(35)を当てて、該座金(35)に固定ネジ(34)を挿通して支持軸(３)の下端面に螺合することにより、筒状の出力軸(53)からの支持軸(３)の抜止めを画っている。
【００２１】
回転駆動部(５)のケーシング(54)と基台(１)とが、リンク(６)を介して枢支連結されている。
リンク(６)上のケーシング(54)側の枢支部(64)は回転駆動部(５)の出力軸(53)から外れた位置にある。
【００２２】
実施例では、回転駆動部(５)のケーシング(54)の上面にアーム板(61)をネジ止め固定し、アーム板(61)のケーシング(54)からはみ出たアーム部(60)に下向きに突設したリンクピン(62)によって前記リンク(６)の一端が枢支されている。
アーム板(61)には、ケーシング(54)から少し臨出した中空軸(50)の上端が遊嵌する孔(68)が開設されている。
リンク(６)の他端は、基台(１)の天板(12)下面に突設したリンクピン(63)によって枢支され、リンク(６)は、支持軸(３)と直交する面内、換言すればテーブル(２)の回転平面と平行な面内で回動可能である。
前記両リンクピン(62)(63)の先端に座金(65)及びバネ座金(66)を介してナット(67)を締め付けて、リンク(６)を回転可能に支持している。リンクピン(63)は段付き軸であって、ナットの締付力で、リンク(６)を押圧しない様になっており、バネ座金(66)は専らナット(67)の弛み止めである。
【００２３】
基台(１)の周壁(11)には、テーブル(２)の回転のＯＮ−ＯＦＦ用スイッチ、回転速度の調整スイッチ等を具えた操作部(８)が設けられ、基台(１)内には回転速度調整用のインバータ(７)が配備されている。
【００２４】
然して、上記電動ターンテーブルは、基台(１)と回転駆動部(５)を枢支連結するリンク(６)は、基台(１)側の枢支部(69)を中心に回動可能であり、回転駆動部(５)のケーシング(54)はリンク(６)の回転駆動部(５)側の枢支部(64)を中心に回動可能であり、且つ該枢支部(64)は回転駆動部(５)の出力軸(53)から外れた位置にあるから、該枢支部(64)は、リンク(６)の回転駆動部(５)側の枢支部(64)を中心に二次元的に振れ移動可能となる。従って、出力軸(53)は、テーブル(２)の回転中心近傍をテーブル(２)の回転平面と平行な面内で移動可能である。
スラストベアリング(４)の回転中心に対して、テーブル(２)の支持軸(３)が偏芯していても、該支持軸(３)と回転駆動部(５)の出力軸(53)の嵌合は可能であり、又、テーブル(２)の回転に伴って支持軸(３)が偏芯回転しても、リンク(６)が振れて支持軸(３)の振れを吸収して、テーブル(２)を円滑に回転駆動できる。
【００２５】
回転駆動部(５)のケーシング(54)と基台(１)をリンク(６)を介して枢支連結するだけであるから、構成が簡素化でき、低コストで前記問題を解決できる。
又、回転駆動部(５)は基台(１)内に配備されているから、横方への嵩張りを抑えて、電動ターンテーブルの小型化に寄与でき、又、デザイン面への規制も少なく、シンプルで美観に優れた電動ターンテーブルを構成できる。
【００２６】
回転駆動部(５)の出力軸(53)を両端開口の中空軸(50)としたため、テーブル(２)に下向きに突設した支持軸(３)を該中空軸(50)に挿入して係合でき、即ち、支持軸(３)の挿入分は基台(１)の高さを低くできる。このため、電動ターンターブル全体の高さの嵩張りを小さくできる。
【００２７】
電動ターンテーブルは、テーブル(２)の支持軸(３)と回転駆動部(５)の出力軸(53)の芯合わせに精度は必要ではないので、スラストベアリング(４)を精度は高くないが安価なプレスベアリングを用いることができ、電動ターンテーブルの製作コストを低減できる。
【００２８】
上記実施例の説明は、本考案を説明するためのものであって、実用新案登録請求の範囲に記載の考案を限定し、或は範囲を減縮する様に解すべきではない。又、本考案の各部構成は上記実施例に限らず、実用新案登録請求の範囲に記載の技術的範囲内で種々の変形が可能であることは勿論である。
【００２９】
例えば、テーブル(２)の支持軸(３)と、回転駆動部(５)の出力軸(53)の嵌合において、実施例では、該出力軸(53)を中空軸(50)として、該中空軸(50)に支持軸(３)を嵌合したが、支持軸(３)を中空軸とし、回転駆動部(５)から出力軸を突出して該中空軸に嵌合することも可能である。但し、この場合、少なくとも回転駆動部(５)から突出する出力軸の長さ分は、基台(１)の高さ方向に嵩張りが増す。
【符号の説明】
【００３０】
１  基台
11  周壁
２  テーブル
３  支持軸
４  スラストベアリング
41  アンダーリング
42  アッパーリング
５  回転駆動部
６  リンク
【図１】
2010284347.tif 000003
【図２】
2010284347.tif 000004
【図３】
2010284347.tif 000005
【図４】
2010284347.tif 000006
【図５】
2010284347.tif 000007